(57)【要約】      （修正有）【課題】押引き可能な引出しを設けた布製タンスを提供する。【解決手段】それぞれ左側前立て管、後立て管及び右側前立て管、後立て管である２本の前立て管１と、２本の後立て管２と、複数本の横管３とを含む。前立て管、後立て管及び複数本の横管は、結合されてから支持枠を形成し、支持枠の下部には網棚４が設けられている。２本のガイドレール５と、一つの可撓性材料で製造される引出し６とをさらに含む。左側の前立て管と後立て管との間、右側の前立て管と後立て管との間には、それぞれ１本のガイドレールが設けられており、引出しの頂部には、左スライドロッドが左側の前立て管と後立て管との間のガイドレール内に位置し、右スライドロッドが右側の前立て管と後立て管との間のガイドレール内に位置するスライドフレームが設けられており、引出しは、ガイドレールに対して摺動可能であり、左スライドロッド及び右スライドロッドの後端部には、それぞれ一つのストッパー部が設けられている。【選択図】図１
0003211569.tif 000002
【実用新案登録請求の範囲】
【請求項１】
それぞれ左側前立て管、後立て管及び右側前立て管、後立て管である２本の前立て管と、２本の後立て管と、複数本の横管とを含み、前記前立て管、後立て管及び複数本の横管は、結合されてから支持枠を形成し、支持枠の下部には網棚が設けられている押引き可能な引出しを設けた布製タンスにおいて、２本のガイドレールと、一つの可撓性材料で製造される引出しとをさらに含み、左側の前立て管と後立て管との間、右側の前立て管と後立て管との間には、それぞれ１本のガイドレールが設けられており、引出しの頂部には、左スライドロッドが左側の前立て管と後立て管との間のガイドレール内に位置し、右スライドロッドが右側の前立て管と後立て管との間のガイドレール内に位置するスライドフレームが設けられており、引出しは、ガイドレールに対して摺動可能であり、左スライドロッド及び右スライドロッドの後端部には、それぞれ一つのストッパー部が設けられている、
ことを特徴とする押引き可能な引出しを設けた布製タンス。
【請求項２】
前記２本のガイドレールは、何れも網棚の下方に位置し、ガイドレールは、底板、立て板及び蓋板で一体成型されてなり、各ガイドレールの後端には、それぞれ一つの阻止板が設けられている、
ことを特徴とする請求項１に記載の押引き可能な引出しを設けた布製タンス。
【請求項３】
引出しの頂部には、一つの押引きフレームがさらに設けられており、前記引出しの頂部の左側、右側縁部が縁曲げされてから、縫製して第１の収容部を形成し、押引きフレームの左側ロッド及び右側ロッドは、それぞれ２つの第１の収容部内に設けられており、引出しの頂部の前側、後側縁部が縁曲げされてから、縫製して第２の収容部を形成し、スライドフレームの前側ロッド及び後側ロッドは、それぞれ２つの第２の収容部内に設けられている、
ことを特徴とする請求項１に記載の押引き可能な引出しを設けた布製タンス。
【請求項４】
押引きフレームは、スライドフレームの上方に位置する、
ことを特徴とする請求項３に記載の押引き可能な引出しを設けた布製タンス。 
【考案の詳細な説明】
【技術分野】
【０００１】
本考案は、生活用品の技術分野に関し、具体的には、小物の収納が可能で、押引き可能な引出しを設けた布製タンスに関する。
【背景技術】
【０００２】
布製タンスは、構造が簡単であり、価格が安く、組立てと取外しが便利であるため、広く使用されている。しかし、同様に、例えば、収納量が小さいとともに、靴下、手袋などのような小物を収納するためのスペースがないという幾つかの欠点もある。この問題を解決するために、一般的に、布製タンスの底部に収納空間が置かれて、当該空間内に物置かごが配置されるが、ある物品を出し入れしようとする場合は、物置かごを収納空間内から搬出する必要があるので、使用する時には非常に不便である。
【考案の概要】
【考案が解決しようとする課題】
【０００３】
従来の技術の欠点を克服するために、本考案は、ガイドレールの摺動が可能であり、小物の収納が可能な引出しが設けられ、物品の出し入れが便利である布製タンスを提供することを目的とする。
【課題を解決するための手段】
【０００４】
上記の目的を実現するために、本考案は、それぞれ左側前立て管、後立て管及び右側前立て管、後立て管である２本の前立て管と、２本の後立て管と、複数本の横管とを含み、前記前立て管、後立て管及び複数本の横管は、結合されてから支持枠を形成し、支持枠の下部には網棚が設けられている押引き可能な引出しを設けた布製タンスにおいて、２本のガイドレールと、一つの可撓性材料で製造される引出しと、をさらに含み、左側の前立て管と後立て管との間、右側の前立て管と後立て管との間には、それぞれ１本のガイドレールが設けられており、引出しの頂部には、左スライドロッドが左側の前立て管と後立て管との間のガイドレール内に位置し、右スライドロッドが右側の前立て管と後立て管との間のガイドレール内に位置するスライドフレームが設けられており、引出しは、ガイドレールに対して摺動可能であり、左スライドロッド及び右スライドロッドの後端部には、それぞれ一つのストッパー部が設けられている押引き可能な引出しを設けた布製タンスという技術方案を採用する。
【０００５】
前記２本のガイドレールは、何れも網棚の下方に位置し、ガイドレールは、底板、立て板及び蓋板で一体成型されてなり、各ガイドレールの後端には、それぞれ一つの阻止板が設けられていることが好ましい。
【０００６】
引出しの頂部には、一つの押引きフレームがさらに設けられており、前記引出しの頂部の左側、右側縁部が縁曲げされてから、縫製して第１の収容部を形成し、押引きフレームの左側ロッド及び右側ロッドは、それぞれ２つの第１の収容部内に設けられており、引出しの頂部の前側、後側縁部が縁曲げされてから、縫製して第２の収容部を形成し、スライドフレームの前側ロッド及び後側ロッドは、それぞれ２つの第２の収容部内に設けられていることが好ましい。
【０００７】
押引きフレームは、スライドフレームの上方に位置することが好ましい。
【考案の効果】
【０００８】
有益な技術効果は、以下のとおりである。支持枠の下部に２本のガイドレールを設け、引出しの頂部のスライドフレームの左右のスライドロッドをそれぞれ２本のガイドレール内に設けることによって、引出しがガイドレールを摺動しやすくなり、そして、引出しの頂部に押引きフレームがさらに設けられており、押引きフレームの前側ロッドが引出しの前方に位置し、引出しを手で押し引きやすくなる。従来の技術と比べて、本考案は、小物を収納しやすいだけでなく、小物を出し入れする時に、引出しを直接に引出して、出し入れが完成した後で引出しを支持枠の底部の収納空間に押し込めばよく、構造が簡単であり、使用が便利であるという効果を有する。
【図面の簡単な説明】
【０００９】
【図１】本考案の斜視模式図である。
【図２】本考案の支持枠の底部の斜視模式図である。
【図３】本考案の引出しの斜視模式図である。
【図４】図２の部分拡大図である。
【考案を実施するための形態】
【００１０】
当業者に本考案をよりよく理解させるために、以下、図面及び実施形態に基づいて、本考案をさらに詳しく説明する。
【００１１】
図１〜４に示すように、押引き可能な引出しを設けた布製タンスは、それぞれ左側前立て管、後立て管及び右側前立て管、後立て管であり、即ち、何れも左側に位置する前立て管及び後立て管は、左側前立て管、後立て管であり、何れも右側に位置する前立て管及び後立て管は、右側前立て管、後立て管である２本の前立て管１と、２本の後立て管２と、複数本の横管３とを含む。
【００１２】
前記前立て管１、後立て管２及び複数本の横管３は、結合されることで支持枠を形成し、支持枠の下部には網棚４が設けられている。２本のガイドレール５と、一つの可撓性材料で製造される引出し６と、をさらに含む。左側の前立て管と後立て管との間、右側の前立て管と後立て管との間にはそれぞれ１本のガイドレール５が設けられている。引出しの頂部には、左スライドロッド７０１が左側の前立て管と後立て管との間のガイドレール５内に位置し、右スライドロッド７０２が右側の前立て管と後立て管との間のガイドレール内に位置するスライドフレーム７が設けられており、引出し６は、ガイドレール５に対して摺動可能である。左スライドロッド及び右スライドロッドの後端部には、それぞれ一つのストッパー部８が設けられている。
【００１３】
前記２本のガイドレール５は、何れも網棚４の下方に位置し、ガイドレール５は、底板５０１、立て板５０２及び蓋板５０３で一体成型されてなり、各ガイドレールの後端には、それぞれ一つの阻止板５０４が設けられている。
【００１４】
引出し６の頂部には、一つの押引きフレーム９がさらに設けられており、前記引出しの頂部の左側、右側縁部が縁曲げされてから、縫製して第１の収容部６０１を形成し、押引きフレームの左側ロッド及び右側ロッドは、それぞれ２つの第１の収容部内に設けられており、引出しの頂部の前側、後側縁部が縁曲げされてから、縫製して第２の収容部６０２を形成し、スライドフレームの前側ロッド及び後側ロッドは、それぞれ２つの第２の収容部内に設けられている。
【００１５】
押引きフレーム９は、スライドフレーム７の上方に位置する。
【００１６】
本考案を実施例により説明したが、当業者であれば、本考案に本考案の精神を逸脱しない様々な変形及び変化が含まれることは明らかであり、添付される実用新案登録請求の範囲は、これらの本考案の精神を逸脱しない変形及び変化を含むことが望ましい。
【符号の説明】
【００１７】
１  ：  前立て管
２  ：  後立て管
３  ：  横管
４  ：  網棚
５  ：  ガイドレール
６  ：  引出し
７  ：  スライドフレーム
８  ：  ストッパー部
９  ：  押引きフレーム
５０１  ：  底板
５０２  ：  立て板
５０３  ：  蓋板
５０４  ：  阻止板
６０１  ：  第１の収容部
６０２  ：  第２の収容部
７０１  ：  左スライドロッド
７０２  ：  右スライドロッド
【図１】
0003211569.tif 000003
【図２】
0003211569.tif 000004
【図３】
0003211569.tif 000005
【図４】
0003211569.tif 000006